(57)【要約】【課題】ケーブル分岐部に簡単に装着でき、防水処理も簡単にかつ確実に行える防水カバーを提供する。【解決手段】親ケーブルの端部に被せられる幹筒部２と、親ケーブルから分岐した複数本の子ケーブルに被せられる複数本の枝筒部３とが、幹筒部と枝筒部の境を塞ぐ連結壁４を介して一体に形成された防水カバーで、各枝筒部３はそれぞれ、その外周面の一部が幹筒部２の外周面の一部とケーブル長手方向に段差なく連続するように形成され、幹筒部２及び各枝筒部３の外周面のケーブル長手方向に段差なく連続する領域内に、幹筒部２側の端部から枝筒部３側の端部に達するスリット５が形成されている。スリット５を開いてケーブル分岐部に装着し、スリット５を粘着テープで塞ぎ、幹筒部から親ケーブルにかけての外周と、各枝筒部から子ケーブルにかけての外周に、熱収縮シートを巻き付けて熱収縮させることにより防水処理を施す。【選択図】図１
2010130867.tif 000002
【特許請求の範囲】
【請求項１】
親ケーブルの端部外周に被せられる幹筒部と、前記親ケーブルから分岐した複数本の子ケーブルの外周に被せられる複数本の枝筒部とが、前記幹筒部と枝筒部の境を塞ぐ連結壁を介して一体に形成されたケーブル分岐部防水カバーにおいて、
前記各枝筒部はそれぞれ、その外周面の一部が幹筒部の外周面の一部とケーブル長手方向に段差なくなだらかに連続するように形成されており、
前記幹筒部及び各枝筒部の外周面のケーブル長手方向に段差なくなだらかに連続する領域内に、幹筒部側の端部から枝筒部側の端部に達するスリットが形成されている、
ことを特徴とするケーブル分岐部防水カバー。
【請求項２】
請求項１記載のケーブル分岐部防水カバーを用いてケーブル分岐部の防水処理を行う方法であって、
前記防水カバーのスリットを開いて、幹筒部を親ケーブルの端部外周に、枝筒部を子ケーブルの外周に被せた後、スリットを閉じる工程、
前記幹筒部及び各枝筒部の外周面のケーブル長手方向に段差なくなだらかに連続する領域に、スリットの両側に跨るように粘着テープを貼り付けて、スリットを塞ぐ工程、
幹筒部から親ケーブルにかけての外周に熱収縮シートを巻き付けて熱収縮させると共に、各枝筒部から子ケーブルにかけての外周に熱収縮シートを巻き付けて熱収縮させることにより防水処理を施す工程、
を含むことを特徴とするケーブル分岐部防水処理方法。
【請求項３】
熱収縮シートを巻き付けて熱収縮させる代わりに、粘着テープを巻き付けることにより防水処理を施すことを特徴とする請求項２記載のケーブル分岐部防水処理方法。
【発明の詳細な説明】
【技術分野】
【０００１】
本発明は、１本の親ケーブルから複数本の子ケーブルが分岐するケーブル分岐部の防水カバーと、それを用いたケーブル分岐部防水処理方法に関するものである。
【背景技術】
【０００２】
例えば、３芯海底ケーブルは、揚陸後、最初のジョイント（渚ジョイント）の手前に、鎧装鉄線引き留め装置を設け、その先でケーブルを３本（３相）の単芯ケーブルに分岐（三叉分岐）し、さらにその先の渚ジョイントで、分岐された３本の単芯ケーブルを陸上側の３本のケーブルとそれぞれ接続している。三叉分岐部には三叉分岐形状に成型された防水カバーが被せられ、防水処理が行われる。また、三叉分岐部から渚ジョイントまでの間は、フレキシブルパイプ等の保護管に挿入すること等により保護される。
【０００３】
従来の三叉分岐部防水カバーを図６に示す。この三叉分岐部防水カバー１は、親ケーブル（３芯ケーブル）の端部外周に被せられる幹筒部２と、前記親ケーブルから分岐した３本の子ケーブル（単心ケーブル）の外周に被せられる３本の枝筒部３とを、前記幹筒部２と枝筒部３の境を塞ぐ連結壁４を介して一体に形成したものである（同様なケーブル分岐部防水カバーは特許文献１、２等に開示されている）。
【０００４】
３芯海底ケーブルの揚陸後のケーブル分岐では、分岐された３本の単芯ケーブルを相手方ケーブルと接続する前に、予め３本に分岐された単芯ケーブルを、防水カバー１の枝筒部３に挿通し、防水カバー１を三叉分岐部まで引き戻してきて、三叉分岐部の防水処理を行う。
【０００５】
【特許文献１】特許第３１５７１２５号公報
【特許文献２】特開２００２−１６４０９６号公報
【発明の開示】
【発明が解決しようとする課題】
【０００６】
しかし、図６のような構造の防水カバーは、ケーブル切断点（単芯ケーブルの先端部）から三叉分岐部まで、長い距離を送り込む必要があり、装着が面倒である。また、渚ジョイントを行う前に、予め３本の単芯ケーブルに挿通しておく必要があるため、作業手順が制約され、作業が煩雑になる。さらに、渚ジョイント後に三叉分岐部の防水不良が発見された場合、渚ジョイントを解体することなしには、不良の防水カバーを取り除いて再び新しい防水カバーを三叉分岐部に被せることができない。このため、渚ジョイントを解体せずに、三叉分岐部の防水不良を修理する場合には、防水用の補強テープ巻き処理を強固に施すしかないが、補強テープ巻き処理は作業者の技量によるところが大きく、防水性能がばらつく可能性があり、経年による浸水で絶縁抵抗の低下などが懸念される。同様の問題は、３芯海底ケーブルの三叉分岐部に限らず、１本の親ケーブルから複数本の子ケーブルが分岐するケーブル分岐部に防水処理を施す場合に、発生しやすい。
【０００７】
本発明の目的は、ケーブル分岐部に簡単に装着でき、防水処理も簡単にかつ確実に行えるケーブル分岐部防水カバーと、それを用いたケーブル分岐部防水処理方法を提供することにある。
【課題を解決するための手段】
【０００８】
上記目的を達成するため、本発明は、親ケーブルの端部外周に被せられる幹筒部と、前記親ケーブルから分岐した複数本の子ケーブルの外周に被せられる複数本の枝筒部とが、前記幹筒部と枝筒部の境を塞ぐ連結壁を介して一体に形成されたケーブル分岐部防水カバーにおいて、
前記各枝筒部はそれぞれ、その外周面の一部が幹筒部の外周面の一部とケーブル長手方向に段差なくなだらかに連続するように形成されており、
前記幹筒部及び各枝筒部の外周面のケーブル長手方向に段差なくなだらかに連続する領域内に、幹筒部側の端部から枝筒部側の端部に達するスリットが形成されている、
ことを特徴とするものである。
【０００９】
また、本発明に係るケーブル分岐部防水処理方法は、上記のケーブル分岐部防水カバーを用いてケーブル分岐部の防水処理を行う方法であって、
前記防水カバーのスリットを開いて、幹筒部を親ケーブルの端部外周に、枝筒部を子ケーブルの外周に被せた後、スリットを閉じる工程、
前記幹筒部及び各枝筒部の外周面のケーブル長手方向に段差なくなだらかに連続する領域に、スリットの両側に跨るように粘着テープを貼り付けて、スリットを塞ぐ工程、
幹筒部から親ケーブルにかけての外周に熱収縮シートを巻き付けて熱収縮させると共に、各枝筒部から子ケーブルにかけての外周に熱収縮シートを巻き付けて熱収縮させることにより防水処理を施す工程、
を含むことを特徴とするものである。
【００１０】
また、本発明に係るケーブル分岐部防水処理方法は、上記の防水処理方法において、熱収縮シートを巻き付けて熱収縮させる代わりに、粘着テープを巻き付けることにより防水処理を施すものであってもよい。
【発明の効果】
【００１１】
本発明に係るケーブル分岐部防水カバーは、幹筒部側の端部から枝筒部側の端部に達するスリットが形成されているので、そのスリットを開くことにより幹筒部を親ケーブルの端部外周に、枝筒部を子ケーブルの外周に被せることができる。また、防水カバーをケーブル分岐部に被せた後、スリットを閉じ、スリットに沿って幹筒部及び枝筒部の外周面に粘着テープを貼り付けることにより、スリットのない防水カバーを構成できる。さらに、スリットは幹筒部及び各枝筒部の外周面のケーブル長手方向に段差なく連続する領域内に形成されているので、粘着テープを全長にわたって均一に貼り付けることができ、スリットを確実に塞いで、スリットのない防水カバーを被せたのと同じ状態を得ることができる。
【００１２】
したがって、ケーブル切断点（子ケーブルの先端部）から分岐部まで防水カバーを送り込む必要がなくなり、防水カバーの装着を容易に行える。また、ケーブル分岐部に防水カバーを装着する作業は、子ケーブルを相手方ケーブルに接続する前でも後でも行えるため、作業手順の制約が少なく、作業を容易に行える。さらに、ケーブル分岐部の防水処理部に防水不良が発見された場合には、子ケーブルと相手方ケーブルの接続部を解体することなく、不良防水処理部だけを解体して、新たに防水カバーを被せて防水処理を行うことができるので、信頼性の高い修理を行うことができる。
【発明を実施するための最良の形態】
【００１３】
＜実施形態１＞
図１は、本発明に係るケーブル分岐部防水カバーの一実施形態を示す。この防水カバー１は、従来同様、１本の親ケーブルの端部外周に被せられる幹筒部２と、前記親ケーブルから分岐した複数本の子ケーブルの外周に被せられる複数本（図示の例では３本）の枝筒部３とが、前記幹筒部２と枝筒部３の境を塞ぐ連結壁４を介して一体に形成されているものである。
【００１４】
この防水カバー１が従来の防水カバーと異なる点は、３本の枝筒部３がそれぞれ、その外周面の一部が幹筒部の外周面の一部とケーブル長手方向に段差なくなだらかに連続するように形成されていることと、幹筒部２及び各枝筒部３の外周面のケーブル長手方向に段差なくなだらかに連続する領域内に、幹筒部２側の端部から枝筒部３側の端部に達するスリット５が形成されていることである。防水カバー１の材質は、スリット５を作業者が手で開閉できる程度に軟質で、しかもスリット５を開閉してもほぼ図１の形に戻る程度の弾性を有するプラスチック（例えばポリ塩化ビニル）で形成される。
【００１５】
次に、図１の防水カバー１を用いたケーブル分岐部の防水処理方法の一実施形態を図２ないし図４を参照して説明する。まず、図２に示すように、防水カバー１のスリット５を開いて、幹筒部２を親ケーブル６（例えば３芯海底ケーブル）の端部外周に被せると共に、各枝筒部３を子ケーブル７（例えば単芯ケーブル）の外周に被せた後、スリット５を閉じる。この作業は、子ケーブル７の先端を相手方ケーブルに接続する前でも後でも行うことができる。
【００１６】
次に、図３に示すように、幹筒部２及び各枝筒部３の外周面のケーブル長手方向に段差なくなだらかに連続する領域に、スリット５の両側に跨るように自己融着性防水粘着テープ８を貼り付けることにより、スリット５を塞ぐ。自己融着性防水粘着テープ８を貼り付ける領域には段差がないので、自己融着性防水粘着テープ８は全長にわたって均一に貼り付けることができる。これによって、ケーブル分岐部にスリットのない防水カバーを被せたのと同じ状態が得られる。
【００１７】
その後、図４に示すように、幹筒部２から親ケーブル６にかけての外周に、内面粘着材付きの熱収縮シート９Ａを巻き付けて熱収縮させると共に、各枝筒部３から子ケーブル７にかけての外周に同じく内面粘着材付きの熱収縮シート９Ｂを巻き付けて熱収縮させることにより、防水処理を施す。ここで熱収縮シート９Ａ及び９Ｂは、それぞれが幹筒部２及び各枝筒部３上において、自己融着性防水粘着テープ８全長にわたり包み込むように巻き付けるものである。
【００１８】
＜実施形態２＞
図５は、図１の防水カバー１を用いたケーブル分岐部の防水処理方法の他の実施形態を示す。ケーブル分岐部に防水カバー１を被せて、スリット５に沿って自己融着性防水粘着テープ８を貼り付けるまでの工程は実施形態１と同じである。この実施形態は、熱収縮シートを巻き付けて熱収縮させる代わりに、幹筒部２から親ケーブル６にかけての外周に粘着テープ１０Ａ巻き付けると共に、各枝筒部３から子ケーブル７にかけての外周に同じく粘着テープ１０Ｂを巻き付けることにより、防水処理を施したものである。それ以外は、実施形態１と同じであるので、同一部分には同一符号を付して説明を省略する。
【００１９】
なお、この実施形態では、実施形態１の熱収縮シート巻きによる防水処理の全てを粘着テープ巻きによる防水処理に置換したが、熱収縮シート巻きによる防水処理の一部を粘着テープ巻きによる防水処理に置換してもよい。
【図面の簡単な説明】
【００２０】
【図１】本発明に係るケーブル分岐部防水カバーの一実施形態を示す、（Ａ）は平面図、（Ｂ）は正面図、（Ｃ）は（Ｂ）のＢ−Ｂ線断面図。
【図２】本発明に係るケーブル分岐部防水処理方法の一実施形態の最初の工程を示す、（Ａ）は平面図、（Ｂ）は縦断面図。
【図３】同じく次の工程を示す、（Ａ）は平面図、（Ｂ）は縦断面図。
【図４】同じく最終工程を示す、（Ａ）は平面図、（Ｂ）は縦断面図。
【図５】本発明に係るケーブル分岐部防水処理方法の他の実施形態の最終工程を示す、（Ａ）は平面図、（Ｂ）は縦断面図。
【図６】従来のケーブル分岐部防水カバーの一例を示す、（Ａ）は平面図、（Ｂ）は正面図、（Ｃ）は（Ｂ）のＢ−Ｂ線断面図。
【符号の説明】
【００２１】
１：ケーブル分岐部防水カバー
２：幹筒部
３：枝筒部
４：連結壁
５：スリット
６：親ケーブル
７：子ケーブル
８：自己融着性防水粘着テープ
９Ａ、９Ｂ：内面粘着材付き熱収縮シート
１０Ａ、１０Ｂ：自己融着性防水粘着テープ
【図１】
2010130867.tif 000003
【図２】
2010130867.tif 000004
【図３】
2010130867.tif 000005
【図４】
2010130867.tif 000006
【図５】
2010130867.tif 000007
【図６】
2010130867.tif 000008